(57)【要約】【課題】  手元から遠い場所や近い場所のどちらの塗装にも対応できるとともに、持ち運び時にも邪魔にならないで、しかも、塗装時にローラが安定する向きで握り易くできる塗装用ローラのハンドルを提供することである。【解決手段】  グリップ１１と、これに設けた棒状のローラ支持部材１２，１３とからなり、ローラ支持部材１２，１３のグリップ１１と反対の端部側に塗装用のローラ本体４を取り付け可能にした塗装用ローラのハンドルにおいて、上記ローラ支持部材１２，１３は、グリップ１１に対して伸縮可能にするとともに、上記ローラ支持部材１２，１３とグリップ１１との間に、両者の相対回転を規制する回転止め機構を設けた。【選択図】  図３
2006297320.tif 000002
【特許請求の範囲】
【請求項１】
グリップと、これに設けた棒状のローラ支持部材とからなり、ローラ支持部材のグリップと反対の端部側に塗装用のローラ本体を取り付け可能にした塗装用ローラのハンドルにおいて、上記ローラ支持部材は、グリップに対して伸縮可能にするとともに、上記ローラ支持部材とグリップとの間に、両者の相対回転を規制する回転止め機構を設けたことを特徴とする塗装用ローラのハンドル。
【請求項２】
上記グリップは、特定の握り方向を備えた外形状を有し、上記回転止め機構は、上記ローラ支持部材に取り付けたローラ本体の塗装面方向と、グリップの握り方向とが対応する位置関係を保持する構成にしたことを特徴とする請求項1に記載の塗装用ローラのハンドル。
【請求項３】
上記支持部材が、支持筒と、この支持筒の内径に挿入可能な支持棒とで構成されることを特徴とする請求項１または２に記載の塗装用ローラのハンドル。
【発明の詳細な説明】
【技術分野】
【０００１】
本願は、塗装用ローラのハンドルに関する。
【背景技術】
【０００２】
図９に示す塗装用ローラ１は、ロッド２の一端に、グリップ３を備えてハンドルを構成するとともに、上記ロッド２の他端にローラ本体４を回転自在に取り付けている。
上記グリップ３は、ロッド２を取り付けた部分と反対側に、取付穴５を形成している。この取付穴５は、断面形状を円形として、その内周に図示していない雌ねじを形成している。
【０００３】
このようにした取付穴５は、図１０に示す継ぎ柄６を取り付けるためのものである。
この継ぎ柄６は、軸部７の一端に、円柱状のグリップ８を形成し、他端に、上記取付穴５の内径よりも僅かに小さい直径の挿入部９を設けている。
この挿入部９の外周には、雄ねじを形成し、この雄ねじを上記取付穴５の雌ねじとかみ合うようにしている。そこで、挿入部６をグリップ３の取付穴５にねじ込むことによって、継ぎ柄６の先端に、図９の塗装用ローラ１のグリップ３を固定することができる。
【０００４】
このように、継ぎ柄６の先端に塗装用ローラ１を固定して、継ぎ柄６と塗装用ローラ１のグリップ３とを接続してグリップ８を握れば、図９の塗装用ローラ１だけでは手の届かなかった高い所も塗装することができるし、立った姿勢のまま、床等を塗装することもできる。つまり、手元から離れた面を塗装することができるようになる。
また、手元に近い面を塗装する際には、上記継ぎ柄６をグリップ３から取り外して、グリップ３を握って使用すればよい。
【特許文献１】特開２００４−０５００５７号公報
【発明の開示】
【発明が解決しようとする課題】
【０００５】
上記のような継ぎ柄６を着脱可能にしたグリップ３を備えた塗装ローラ１なら、継ぎ柄６を取り付けたり、取り外したりすることで、手元から離れた面を塗装する際にも、手元に近い面を塗装する際にも、同じローラで対応することができる。
【０００６】
上記のような継ぎ柄タイプの塗装用ローラを用いる場合、塗装面によって継ぎ柄６を用意して、それを取り付けなければならない。継ぎ柄６を取り付ける必要があるかどうか分からない場合には、いつも継ぎ柄６を用意しておかなければならないし、塗装面が変わるたびに、継ぎ柄６を取り付けたり、外したりするのは面倒であるという問題があった。
また、塗装現場で、一旦取り付けた継ぎ柄６を外した場合には、その置き場所も必要である。だからといって、継ぎ柄６をつけたままでは、近い場所を塗装する際に、作業性が悪いし、持ち運び時にも長い柄が邪魔になり不便である。
【０００７】
一方、塗装用ローラのグリップとしては、塗装時に、ローラ本体４の側面が塗装面に接触する向きで、ユーザーの握り易い形状がある。しかし、上記継ぎ柄６のグリップ８は、単なる円柱であり、塗装時にローラ本体４が安定する握り易い形状にはなっていない。その理由は、継ぎ柄６を塗装用ローラのグリップ３にねじ込んで取り付ける際に、回転方向の位置を一定にすることが難しいためである。回転方向の位置が変わってしまえば、グリップ８の形状を方向性のある形状にしたとしても、継ぎ柄６が実際に固定されたときに、グリップ８が握り易い向きになっているかどうかわからない。固定されたときの向きによって、かえって握り難くなってしまうこともあるので、向きによって握り易さが変わらない円柱形状を採用している。
【０００８】
なお、従来から用いられている継ぎ柄には、図１０に示す継ぎ柄６のように、長さが固定のもののほか、軸部７を伸縮自在にした継ぎ柄もあった。そして、このような継ぎ柄を用いれば、ひとつの継ぎ柄で、様々な長さに対応することができる。しかし、このような継ぎ柄でも、上記継ぎ柄６と同様に、着脱の際に手間が掛かったり、握り易い、方向性を持ったグリップに対応できなかったりするという問題はあった。
この発明の目的は、手元から遠い場所や近い場所のどちらの塗装にも対応できるとともに、持ち運び時にも邪魔にならないで、しかも、塗装時にローラが安定する向きで握り易くできる塗装用ローラのハンドルを提供することである。
【課題を解決するための手段】
【０００９】
第１の発明は、グリップと、これに設けた棒状のローラ支持部材とからなり、ローラ支持部材のグリップと反対の端部側に塗装用のローラ本体を取り付け可能にした塗装用ローラのハンドルにおいて、上記ローラ支持部材は、グリップに対して伸縮可能にするとともに、上記ローラ支持部材とグリップとの間に、両者の相対回転を規制する回転止め機構を設けた点に特徴を有する。
【００１０】
第２の発明は、上記第１の発明を前提とし、上記グリップは、特定の握り方向を備えた外形状を有し、上記回転止め機構は、上記ローラ支持部材に取り付けたローラ本体の塗装面方向と、グリップの握り方向とが対応する位置関係を保持する構成にした点に特徴を有する。
第３の発明は、上記第１または第２の発明を前提とし、上記支持部材が、支持筒と、この支持筒の内径に挿入可能な支持棒とで構成される点に特徴を有する。
【発明の効果】
【００１１】
第１の発明によれば、グリップからローラ支持部材を伸縮させることによって、ハンドルを塗装しやすい長さに簡単に調整することができる。従来のように、継ぎ柄を取り付けたり、取り外したりする手間も必要ない。また、ローラ本体と別体の継ぎ柄を持ち運ぶ必要もない。
さらに、ローラ支持部材とグリップとの間の相対回転が規制されるので、ローラ本体とグリップとの位置関係を一定に保つことができる。そのため、グリップの外形を方向性のある形状にした場合、塗装時に、グリップを握りやすくでき、塗装しやすくすることができる。
【００１２】
第２の発明によれば、握りやすいグリップの握り方向と、塗装時のローラ本体の塗装面とが対応する位置関係を保持できるため、塗装しやすい。
第３の発明によれば、ハンドルの伸縮範囲をより大きくとることができる。
【発明を実施するための最良の形態】
【００１３】
図１〜図８に、この発明の一実施形態を示す。
図１〜図３は、この発明のハンドルを用いた塗装用ローラ１０の外観図である。
そして、図１、図２、図３と、順に、ハンドル長さを長くしている状態を示している。上記塗装用ローラ１０は、グリップ１１に対して伸縮自在に設けた筒部材１２と、さらに、この筒部材１２に対して伸縮自在に設けたロッド１３とを備え、このロッド１３の先端側にローラ本体４を取り付けている。すなわち、上記筒部材１２がこの発明の支持筒であり、ロッド１３がこの発明の支持棒である。そして、上記筒部材１２とロッド１３とによってこの発明のローラ支持部材を構成している。
【００１４】
また、後で詳しく説明するが、上記筒部材１２およびロッド１３の伸縮状態を維持するために、グリップ１１の端部と、筒部材１２の端部とには、それぞれ、ナット部材１４，１５を備えている。
上記グリップ１１は、図４、図５の断面図に示すように、筒状の部材であり、内部には、段部１１ｃを介して内周の大きな大径部１１ａと小径部１１ｂとを形成し、内部に上記筒部材１２を挿入している。そして、これらの大径部１１ａおよび小径部１１ｂの内周形状を六角形にしている。
【００１５】
上記筒部材１２は、図６の断面図のように、断面外周および内周形状を六角形とするとともに、上記グリップ１１への挿入側端部には、断面が六角形の止め部１６を設けている。そして、筒部材１２の外周寸法を、グリップ１１の小径部１１ｂの内周と同等の寸法にし、上記止め部１６の外周寸法をグリップ１１の大径部１１ａの内周とほぼ同等の寸法にしている。従って、筒部材１２が、軸方向に移動してグリップ１１に対して伸縮する際には、上記筒部材１２および止め部１６は、グリップ１１の小径部１１ｂおよび大径部１１ａの内周を摺動する。
【００１６】
このように、グリップ１１の内周に一致する上記筒部材１２、止め部１６の外形が六角形なので、筒部材１２がグリップ１１内で回転することがない。つまり、グリップ１１内周面に摺動する筒部材１２および止め部１６の断面形状を六角形にすることによって、グリップ１１と筒部材１２との間の相対回転を規制する回転止め機構を実現している。
なお、この実施形態では、グリップ１１内の小径部１１ｂと筒部材１２の外周とによって回転止め機構を構成するとともに、止め部１６と大径部１１ａとによっても、回転止め機構を構成しているが、グリップ１１と筒部材１２との間の回転止め機構はいずれか一方でもかまわない。例えば、筒部材１２または止め部１６のいずれか一方を六角形とし、他方の断面は円にしてもかまわない。
また、筒部材１２側の止め部１６が、グリップ１１内の段部１１ｃに突き当たった状態が、グリップ１１に対して筒部材１２が最長になった状態であり、上記止め部１６は、筒部材１２がグリップ１１から抜けないようにする軸方向の抜け止め手段となる。
【００１７】
一方、グリップ１１の一方の端部外周には、雄ねじ１１ｄを形成するとともに、雄ねじ１１ｄを形成した部分には、図示しない軸方向のスリットを形成している。また、この雄ねじ１１ｄにかみ合う雌ねじを、上記ナット部材１４（図１〜図３参照）の内周に形成している。雄ねじ１１ｄにナット部材１４を締め付けて、上記スリットを縮めることによって、上記筒部材１２を固定し、長さを固定するようにしている。
さらに、図６に示すように、グリップ１１の外周には、塗装時に、作業者の正面にローラ本体４の側面を対向させた状態で、親指を当てる凹部と、掌で包み込む凸部とを備え、握り易い形状としている。
【００１８】
また、図７、図８に示すように、筒部材１２の内部には、断面形状が六角形の大径部１２ａと小径部１２ｂとを段部１２ｃを介して形成し、内部にロッド１３を挿入している。このロッド１３は、金属製の丸棒で、上記筒部材１２の挿入方向先端側には、断面が六角形の止め部１８を設け、この止め部１８の外周寸法を筒部材１２の大径部１２ａの内周とほぼ同等にしている。従って、ロッド１３が軸方向に移動して、筒部材１２に対して伸縮する際には、止め部１８が大径部１２ａの内周面を摺動する。
【００１９】
そして、上記大径部１２ａの内周および止め部１８の断面が六角形なので、ロッド１３が筒部材１２に対して回転することがない。つまり、止め部１８の断面形状を六角形にすることによって、筒部材１２とロッド１３との間の相対回転を規制する回転止め機構を実現している。
なお、ロッド１３が筒部材１２に対して最長に伸張した状態で、上記止め部１８が、段部１２ｃに突き当たるので、ロッド１３が、筒部材１２から抜けてしまうことがない。
また、図７中の符号１７は、スペーサーであり、ロッド１３を小径部１２ｂの中央に支持する機能を備えている。
【００２０】
さらに、筒部材１２のロッド１３側の端部外周には、雄ねじ１２ｄを形成するとともに、雄ねじ１２ｄを形成した部分には、図示しない軸方向のスリットを形成している。また、この雄ねじ１２ｄにかみ合う雌ねじを、上記ナット部材１５（図１〜図３参照）の内周に形成している。上記雄ねじ１２ｄにナット部材１５を締め付けて、上記スリットを縮めることによって、上記ロッド１３の長さを固定するようにしている。
【００２１】
上記の塗装用ローラ１０では、グリップ１１に対して筒部材１２を伸縮させて任意の長さに固定することができ、さらに、筒部材１２に対して、ロッド１３を伸縮させて任意の長さに固定することができる。上記筒部材１２の長さとロッド１３の長さとを組み合わせることによって、図１に示す最短の長さから図３の最長の長さまでの広範囲にわたって、ハンドルを任意の長さにすることができる。しかも、従来のように、別体の継ぎ柄を着脱する手間もなく、簡単に、必要な長さを実現することができる。
【００２２】
また、グリップ１１と筒部材１２との間の回転止め機構と、筒部材１２とロッド１３との間の回転止め機構とによって、この発明のグリップとローラ支持部材との間の相対回転を規制する回転止め機構を構成しているので、グリップに対するローラ本体の位置を固定化することができる。そのため、例えば、図６に示すように、グリップの外形状を円筒形ではなく、方向性を有する握り易い形状とした場合にも、握り易い方向と、ローラ本体の塗装方向とを対応させることができる。
従来のように、継ぎ柄をねじ込んで固定する場合には、回転位置を一定にすることが難しかったので、グリップの外形状に方向性を持たせて握り易くしても、実際の塗装時には、握り易い向きで使用できない場合もあったが、この発明のハンドルを用いれば、そのようなことはない。
【００２３】
なお、上記実施形態では、ローラ支持部材とグリップとの嵌めあわせ部分の断面を六角形にすることで回り止め機構を構成しているが、回り止め機構の構成は、これに限らない。両者の断面を六角形以外の多角形にするほか、楕円や半円、あるいは、いずれか一方に軸方向に伸びる線状凸部を設け、他方にそれに対応する線状凹部を設けるなど、円以外の断面形状にすればよい。
【００２４】
また、ローラ支持部材として、支持筒を用いないで、支持棒のみをグリップに直接挿入して、伸縮自在にしてもよい。ただし、上記実施形態のように、支持棒を伸縮自在にした支持筒を用いることによって、ハンドルの長さの可変範囲を広くすることができる。
さらに、外径の異なる支持筒を複数用いて、テレスコピック構造にすれば、ハンドルの長さの可変範囲をさらに広くすることができる。つまり、より手元に近い塗装面から、離れた塗装面まで、同一の塗装用ローラで対応することができるようになる。
【図面の簡単な説明】
【００２５】
【図１】この発明のハンドルを用いた塗装用ローラであり、ハンドルの長さが最短の状態を示す正面図である。
【図２】実施形態の塗装用ローラであり、ロッド（支持棒）のみを伸ばした状態を示す正面図である。
【図３】実施形態の塗装用ローラであり、ロッド（支持棒）および筒部材（支持筒）を伸ばした状態を示す正面図である。
【図４】グリップ部分の断面図である。
【図５】図４のV-V線断面図である。
【図６】実施形態の塗装用ローラの側面図である。
【図７】筒部材（支持筒）とロッド（支持棒）との連結部分の断面図である。
【図８】図７のVIII-VIII線断面図である。
【図９】従来例の塗装用ローラの正面図である。
【図１０】従来例の継ぎ柄の正面図である。
【符号の説明】
【００２６】
４      ローラ本体
１０    塗装用ローラ
１１    グリップ
１２    筒部材
１３    ロッド
【図１】
2006297320.tif 000003
【図２】
2006297320.tif 000004
【図３】
2006297320.tif 000005
【図４】
2006297320.tif 000006
【図５】
2006297320.tif 000007
【図６】
2006297320.tif 000008
【図７】
2006297320.tif 000009
【図８】
2006297320.tif 000010
【図９】
2006297320.tif 000011
【図１０】
2006297320.tif 000012